(57)【特許請求の範囲】
【請求項１】
一対の分割容器の組合せからなる外殻体と、該外殻体に収容される垂幕、テープ類である内容物とを備え、吊持された状態の前記外殻体がその上端部に設けた連結部を中心にして下部側から開くように割られて分割容器どうしが離間することで、前記内容物が垂れ下がるくす玉であって、
前記分割容器どうしを組合せた状態にある外殻体の内部において、巻取られた垂幕を収容するための垂幕収容室が前記連結部側に配置されるとともに、巻取られたテープ類を収容するテープ類収容室が前記垂幕収容室に対し連結部側とは反対側に配置され、
前記垂幕収容室とテープ類収容室とは、各分割容器を組合せることで、互いに組合される一対の区画壁により区画されることで形成され、
吊持された状態の前記外殻体が前記連結部を中心にして下部側から開くように割られて分割容器どうしが離間することで、左右中心部から前記垂幕が垂れ下がり、左右両側部からテープ類が垂れ下がることを特徴とするくす玉。
【請求項２】
巻取られた垂幕の収容室部を形成して巻取られた垂幕の姿勢を保持する回転防止壁がさらに備えられていることを特徴とする請求項１記載のくす玉。
【発明の詳細な説明】
【技術分野】
【０００１】
本発明は記念式典やパーティ等のイベントに用いられるくす玉に関し、より詳細には一対の分割容器を分割することで、垂幕やテープ類が垂れ下がるよう構成されたくす玉に関する。
【背景技術】
【０００２】
この種のくす玉として、例えば特許文献１に記載された技術が提案されている。このくす玉は、それぞれ半球形状に形成された一対の分割容器からなる外殻体と、垂幕やテープ類等からなる内容物とを備えている。そして、外殻体を吊持した状態として外殻体が開口するよう分割容器を開くと、垂幕やテープ類が垂れ下がる（露出する）。
【０００３】
また、例えば特許文献２には、火薬体の爆発力を利用して外殻体を開口するよう分割容器を開くくす玉が提案されている。このくす玉では、外殻体（分割容器）の内部に、内容物を収容する内容物収容室と火薬体を収容する火薬室とが設けられ、内容物収容室と火薬室とは隔壁によって区画されている。
【先行技術文献】
【特許文献】
【０００４】
【特許文献１】特開２００９−１１９１９３号公報
【特許文献２】特開２００５−３１２５１６号公報
【発明の概要】
【発明が解決しようとする課題】
【０００５】
ところで、内容物である垂幕には、くす玉を用いる記念式典やパーティ等のイベントにふさわしい表現（例えば言葉）が記載されており、この表現は、イベントの場を盛り上げるための演出として大切な要因である。
【０００６】
従来のくす玉には、外殻体の内部を隔壁によって内容物収容室と火薬室とに区画したものはあるが、垂幕とテープ類とは区画して収容されていない。つまり、垂幕とテープ類とが同じ収容空間に収容されている。このような構成では、外殻体が開口した際にテープ類が垂幕にもつれるようにして垂れ下がる場合がある。そうなると、テープ類によって表現の一部が隠されたり、垂幕が開ききれなかったりして表現が見えなくなり、イベントへの参加者に対する演出性が乏しくなってしまう。
【０００７】
そこで本発明は、テープ類が垂幕にもつれる状態を回避することで、イベントへの参加者に対する演出性を確保し得るくす玉の提供を課題とする。
【課題を解決するための手段】
【０００８】
本発明は、一対の分割容器の組合せからなる外殻体と、該外殻体に収容される垂幕、テープ類である内容物とを備え、吊持された状態の前記外殻体がその上端部に設けた連結部を中心にして下部側から開くように割られて分割容器どうしが離間することで、前記内容物が垂れ下がるくす玉であって、前記分割容器どうしを組合せた状態にある外殻体の内部において、巻取られた垂幕を収容するための垂幕収容室が前記連結部側に配置されるとともに、巻取られたテープ類を収容するテープ類収容室が前記垂幕収容室に対し連結部側とは反対側に配置され、前記垂幕収容室とテープ類収容室とは、各分割容器を組合せることで、互いに組合される一対の区画壁により区画されることで形成され、吊持された状態の前記外殻体が前記連結部を中心にして下部側から開くように割られて分割容器どうしが離間することで、左右中心部から前記垂幕が垂れ下がり、左右両側部からテープ類が垂れ下がることを特徴とする。
【０００９】
上記構成において、吊持された状態の外殻体を、分割容器どうしを連結した連結部を中心にして下部側から開くように分割することで、分割容器どうしを離間させると区画壁どうしが離間し、外殻体の内部において連結部側に配置された垂幕収容室も分割されるように開放されることで、巻取られた垂幕は左右中心部から垂れ下がり、垂幕収容室に対し連結部側とは反対側に配置されたテープ類収容室も分割されるように開放され、外殻体が下部側から開くように分割されると分割されたテープ類収容室がそれぞれ左右中心部に対して左右外側に移動するから、テープ類は垂幕に対して左右両側の位置で垂れ下がって垂幕に対してもつれず、垂幕に文字等の表現が施されていてもそれを隠すことがない。
【００１０】
本発明のくす玉では、巻取られた垂幕の収容室部を形成して巻取られた垂幕の姿勢を保持する回転防止壁がさらに備えられた構成を採用できる。
【００１１】
上記構成において、巻取られた垂幕は、回転防止壁によって、垂幕の軸線と直交する方向の軸線回りでの回転を防止されることで、垂幕に文字等の表現が施されていて該表現に表裏等の正誤がある場合に、垂幕が垂れ下がった際に正の表現となるよう、垂幕が保持される。
【発明の効果】
【００１２】
本発明のくす玉は、吊持された状態の外殻体を、分割容器どうしを連結した連結部を中心にして下部側から開くように分割することで、分割容器どうしを離間させると区画壁どうしが離間し、外殻体の内部において連結部側に配置された垂幕収容室も分割されるように開放されることで、巻取られた垂幕は左右中心部から垂れ下がり、垂幕収容室に対し連結部側とは反対側に配置されたテープ類収容室も分割されるように開放され、外殻体が下部側から開くように分割されると分割されたテープ類収容室がそれぞれ左右中心部に対して左右外側に移動するから、テープ類は垂幕に対して左右両側の位置で垂れ下がって垂幕に対してもつれず、垂幕に文字等の表現が施されていてもそれを隠すことがないため、イベントへの参加者に対する演出性を確保し得る。
【図面の簡単な説明】
【００１３】
【図１】本発明の一実施形態に係るくす玉を表した側面図である。
【図２】同くす玉の外殻体の正面側からの断面図である。
【図３】同くす玉の外殻体を開いた状態の正面図である。
【図４】同くす玉の外殻体を開いた状態の正面側からの断面図である。
【図５】同くす玉の外殻体の開姿勢を表した（くす玉の使用状体を表した）正面図である。
【図６】同くす玉の外殻体の開姿勢を表し、吊紐を結び目から離脱させた状態（吊紐を結び目に締結する前の状態）の正面図である。
【図７】同くす玉の止部を主に表した正面図である。
【図８】同くす玉の止具を主に表した正面図で、止具を止部に装着した状態の正面図である。
【図９】同くす玉の止具を主に表した正面図で、止具を止部から離脱させた状態（止具を止部に装着する前の状態）の正面図である。
【図１０】同くす玉の一方の分割容器の内部を表した斜視図である。
【図１１】同くす玉の外殻体を開いて内容物を表した状態の斜視図である。
【図１２】本発明の他の実施形態に係るくす玉の、外殻体の開姿勢を表した（くす玉の使用状体を表した）正面図である。
【発明を実施するための形態】
【００１４】
以下、本発明に係るくす玉の一実施形態について、図面を参酌しつつ説明する。なお、以下の説明において、図１の側面図を基準に、上下方向、前後方向を規定し、紙面表裏方向を左右方向と規定する。
【００１５】
図１に示すように、くす玉１は、一対の分割容器２，３の組合せからなる外殻体４と、分割容器２，３をその上端部どうしで開閉自在に連結する連結部５と、くす玉１全体を吊持するための吊紐６と、外殻体４を閉姿勢Ａとするための止部７と、止部７を構成する止片７０，７０どうしの離脱を阻止する止具８とを備える。
【００１６】
くす玉１は、外殻体４をその内部で区画する区画壁９と、一般的な構成を備え外殻体４に収容される垂幕１０、テープ類１１である内容物と、垂幕１０の姿勢を保持する（回転を防止する）ための回転防止壁１２，１２とを、さらに備える。
【００１７】
分割容器２，３はそれぞれ合成樹脂製であり、図２ないし図４に示すように、互いに略同形状の半球形状の殻状に形成されている。分割容器２，３は、一方の分割容器２が凸側分割容器であり、他方の分割容器３が凹側分割容器である。分割容器２，３は、分割容器２，３どうしを組合せるための接合手段を備えている。接合手段は、両分割容器２，３の分割位置（分割面）である円周面２０，３０上に形成され、一方の分割容器２（凸側分割容器）の円周面２０に形成された凸側接合部２０ａと、他方の分割容器３（凹側分割容器）の円周面３０に形成された凹側接合部３０ａとから構成されている。そして、両分割容器２，３は、凸側接合部２０ａと凹側接合部３０ａとが嵌合することで接合されて組合されることで、閉姿勢Ａにある外殻体４となる。
【００１８】
連結部５は、図３および図４に示すように、両分割容器２，３の上端部に亘って分割容器２，３に一体的に形成されており、回動中心部５ａが他の部分（分割容器２，３側の部分）に比べて肉薄に形成されている。
【００１９】
図５および図６に示すように、吊紐６は、分割容器２，３の上部どうしに亘り、その一端部側が一方の分割容器２に形成した吊孔部２ａに挿通され、他端部側が他方の分割容器３に形成した吊孔部３ａに挿通されている。各吊孔部２ａ，３ａは、連結部５と外殻体４の上下方向中心との間に形成されている。
【００２０】
垂幕１０は、紙管１００と、紙管１００に巻取られる幕部１０１と、錘１０２とを備える。垂幕１０の幕部１０１は、外殻体４の閉姿勢Ａが解除されて、分割容器２，３どうしが開かれた外殻体４の開姿勢Ｂにおいて紙管１００から垂れ下がる。また、垂幕１０の幕部１０１の表面には「祝  おめでとう！」の文字等（文字や図柄）からなる表現１０３が施されている（この場合、印刷されている）。幕部１０１の裏面には表現１０３は施されておらず、表面の表現１０３は、裏面からは目視できない。
【００２１】
なお、吊紐６は、垂幕１０用の吊紐と兼用されている。吊紐６の一端部側は、吊孔部２ａに外側から挿通されたうえで、一方の分割容器２の内側で一方の結び目（瘤）６ａとして形成されている。吊紐６の他端部側は吊孔部３ａに外側から挿通されたうえで、他方の分割容器３の内側で他方の結び目６ｂとして形成されている。そして吊紐６の他端部は、垂幕１０の紙管１００に挿通されて、一方の結び目６ａに締結されている。
【００２２】
図７に示すように、止部７は各分割容器２，３の下端部に一体的に形成された一対の前記止片７０，７０から構成されている。各止片７０，７０は各分割容器２，３の下端部からさらに下方に突出された小片である。各止片７０，７０の対向面７０ａ，７０ａは平面に形成され、対向面７０ａ，７０ａが当接した状態で、止部７は、その下部を上部に比べて大径にした略小円柱状になるよう形成されている。
【００２３】
図８および図９に示すように、止具８はスリーブ状のフレキシブルな管体（透明なチューブ）である。止具８は止部７の突出長さに比べて長く設定されている。止具８は止部７に対してわずかに拡径するよう変形して外嵌されることで、止片７０，７０どうしの離間を防止して、分割容器２，３どうしが連結部５回りに開く（離間する）、開姿勢Ｂ（図５、図６参照）となるのを防止する。止具８は引紐８０を備えている。引紐８０はその端部から止具８に貫通されて、端部が引紐８０の途中に、粘着テープ等の固定手段８１によって固定されている。
【００２４】
図１０および図１１に示すように、区画壁９は、各分割容器２，３内に配設された一対の分割壁９０，９０から構成されている。各分割壁９０，９０は同一形状に形成されている。すなわち、各分割壁９０，９０は半円状の円板に形成され、各分割壁９０，９０は、円弧面９０ａ，９０ａを分割容器２，３の内面側にして各分割容器２，３に固定され、半円状の円板の直径（弦）に沿う直線状面９０ｂ，９０ｂを開放側にして配置されている。この直線状面９０ｂ，９０ｂは、円周面２０，３０と略面一とされている。各分割壁９０，９０は、各分割容器２，３の上下方向中心より下方にあって、上下方向中心を含む仮想水平面に対して平行に配置されている。なお、分割壁９０，９０どうしは、同じ高さ位置に配置されている。
【００２５】
両分割壁９０，９０によって、分割容器２，３どうしを組合せてなる外殻体４の内部が、巻取られた内容物である垂幕１０を収容する垂幕収容室４０と、巻取られた内容物であるテープ類１１を収容するテープ類収容室４１とに区画される。垂幕収容室４０は外殻体４の内部において連結部５側（上部）にあって、テープ類収容室４１は外殻体４の内部において垂幕収容室４０に対し連結部５とは反対側、すなわち止部７側（下部）にある。
【００２６】
垂幕収容室４０は、一方の分割容器２に形成された一方側収容室部４００と、他方の分割容器３に形成された他方側収容室部４０１とからなる。一方側収容室部４００は垂幕１０の左右方向一方側部１０６を収容し、他方側収容室部４０１は垂幕１０の左右方向他方側部１０７を収容する。そして一方側収容室部４００および他方側収容室部４０１は、分割容器２，３どうしが組合されることで垂幕収容室４０となって（例えば、図２参照）、垂幕１０の全部を収容する。
【００２７】
回転防止壁１２，１２は、各分割容器２，３に設けられており、一方側収容室部４００、他方側収容室部４０１をそれぞれ分割している。さらに具体的に、各回転防止壁１２，１２は、各分割容器２，３に一組（二枚）ずつ設けられている。各回転防止壁１２，１２は、同一形状且つ同一の大きさに形成され、所定間隔だけ離間して、分割壁９０，９０の壁面方向に直交する方向に配置されている。各回転防止壁１２，１２は弧状面１２ａ，１２ａを分割容器２，３の内面側にして各分割容器２，３に固定され、直線状面１２ｂ，１２ｂを開放側にして配置されている。さらに、回転防止壁１２，１２は、分割壁９０，９０とも固定されている。なお、直線状面１２ｂ，１２ｂは、円周面２０，３０に対して奥まった位置（分割容器２，３の内面側）に配置されている。これは、材料の使用量（材料費）の低減を主目的としている。
【００２８】
したがって、閉姿勢Ａにある外殻体４は、各分割容器２，３において、対向する回転防止壁１２，１２の直線状面１２ｂ，１２ｂの間には、Ｌ１の寸法（図２参照）の隙間１２０が形成されており、隙間１２０に相当する分だけ材料の使用量を低減させている。なお、寸法Ｌ１の設定は、分割容器２，３の変形防止に支障のない範囲としている。
【００２９】
ここで、回転防止壁１２，１２どうしの離間間隔である前記所定間隔とは、巻取られた垂幕１０の径よりも大きく、垂幕１０の軸線１０４と直交する方向の軸線１０５回りで垂幕１０が回転しないように阻止できる距離Ｌである（図１参照）。上述したように、分割壁９０，９０は、分割容器２，３の上下方向中心より下方にあって、上下方向中心を含む仮想水平面に対して平行に配置されている。このため、回転防止壁１２，１２を設けていない垂幕収容室４０は、収容した垂幕１０が軸線１０５回りに回転可能な広さを有している。そして、垂幕１０が軸線１０５回りに回転してしまうことによる不具合（後述する）を防止するために、本実施形態のくす玉１は、上記構成の回転防止壁１２，１２を備えている。
【００３０】
回転防止壁１２，１２は、各分割容器２，３の寸法精度を確保するリブの機能を、さらに有する。すなわち、各分割容器２，３が、その高さ方向で歪むのを防止して、分割容器２，３どうしの組合せ精度の低下を防止している。
【００３１】
上記構成のくす玉１において、図１に示した閉姿勢Ａから図５に示す開姿勢Ｂとするには、吊紐６を催し会場の所定の場所に引掛けてくす玉１を吊持した状態とする。続いて、演出のタイミングを図って引紐を下方に引いいて、止具８を止部７から離脱させる。そうすると、止片７０どうしの接合が解除されるとともに、接合手段である凸側接合部２０ａと凹側接合部２０ｂとの接合が解除され、結び目６ａ，６ｂが各分割容器２，３の内面に係止するから、分割容器２，３どうしが連結部５の回動中心部５ａを中心にして重力によってバランスよく開き、外殻体４が開姿勢Ｂになる。
【００３２】
外殻体４が開姿勢Ｂになれば（分割容器２，３どうしが連結部５を中心にして開けば）、テープ類収容室４１がそれぞれ開放されて、各テープ類収容室４１からテープ類１１が垂れ下がる。外殻体４が開姿勢Ｂになれば、垂幕収容室４０が分割されて開放され垂幕１０が露出し、錘１０２の重さによって幕部１０１が垂れ下がる。そして、垂幕１０の幕部１０１の表面には「祝  おめでとう！」の文字等からなる表現１０３が施されており、催しへの参加者が表現１０３を目視でき、垂れ下がった複数のテープ類１１を目視できる演出であると、催しが盛り上がる。
【００３３】
このように、催しが演出されて盛り上がるためには、垂幕１０の表現１０３が明確に目視でき、テープ類１１が支障なく垂れ下がることが必要であるといえる。そのためには、垂幕１０にテープ類１１がもつれないことが必要である。本実施形態では、垂幕１０を垂幕収容室４０に収容し、テープ類１１をテープ類収容室４１にそれぞれ別に収容している。
【００３４】
特に、巻取られた垂幕１０を収容する垂幕収容室４０は連結部５側（外殻体４の内部の上部）に配置され、巻取られたテープ類１１を収容するテープ類収容室４１は垂幕収容室４０に対し連結部５側とは反対側（外殻体４の内部の下部）に配置されている。このため、外殻体４が閉姿勢Ａから開姿勢Ｂになると、垂幕１０は外殻体４の左右方向中心部において垂れ下がり、テープ類１１は外殻体４の左右寄り側から別個に垂れ下がる。このように垂幕１０、テープ類１１がそれぞれ独自の経路で垂れ下がることで、垂幕１０にテープ類１１がもつれない。そうなれば、垂幕１０、テープ類１１がそれぞれ支障なく円滑に垂れ下がり、参加者は垂幕１０の表現１０３を確実に目視することができ、盛り上がる演出を行うことができる。
【００３５】
また、垂幕１０は外殻体４の内部の上部にあり、テープ類１１は外殻体４の内部の下部にある。このため、外殻体４が開姿勢Ｂになるとき、垂幕１０に比べテープ類１１がわずかに先行して垂れ下がり、その後に垂幕１０が垂れ下がる。すなわち、テープ類１１と垂幕１０とで垂れ下がりはじめるタイミングが異なる。このため、垂幕１０にテープ類１１がもつれてしまう状態を確実に防止できる。
【００３６】
ところで、くす玉１の搬送中や、催し会場で設営される際に外殻体４は動かされるから、巻取られた状態で外殻体４に収容されている垂幕１０は、収容された状態において、軸線１０５回りに回転してしまうことが考えられる。そうなると、垂幕１０に文字等の表現１０３が施されていて、表現１０３に表裏等の正誤がある場合に、垂幕１０が垂れ下がった際に垂幕１０は誤姿勢（参加者に表現１０３が目視できない姿勢）となっている場合が考えられる。この状態が、前述した不具合である。
【００３７】
しかしながら、本実施形態のくす玉１では、垂幕１０を外殻体４に正姿勢で垂れ下がるように収容しておけば、くす玉１が搬送されたり、あちらこちらへ移動されたり、回転させられたりしても、垂幕１０は回転防止壁１２，１２によって軸線１０５回りに回転することがない。このため、外殻体４を開姿勢Ｂとした際に、常に垂幕１０を正姿勢とするように垂れ下げることが可能である。
【００３８】
図１２は、本発明の別実施形態を表している。図１ないし図１１に示した実施形態と同様の機能を備えた構成部品には、同一の符号を付してその説明を省略する。図１２の実施形態に係るくす玉１は、吊紐６とは別の、独自の吊紐６０によって外殻体４（分割容器２あるいは分割容器３）に吊持される構成である。吊紐６０の一端部側は、外殻体４に固定手段（例えば粘着テープや接着）によって固定され、他端部側は幕部１０１の上端部に固定されている。
【００３９】
このような構成の場合では、巻取られた状態で外殻体４に収容されている垂幕１０は、収容された状態において、軸線１０５回りに回転してしまう可能性が高くなる。しかしながら、上記実施形態と同様に、回転防止壁１２，１２によって軸線１０５回りに回転することがない。このため、外殻体４を開姿勢Ｂとした際に、常に垂幕１０を正姿勢とするように垂れ下げることが可能である。
【００４０】
本発明は、上記実施形態に限られるものではなく、本発明の主旨を逸脱しない範囲で種々変形が可能である。その他、各部の具体的構成についても、本発明の主旨を逸脱しない範囲で種々変形が可能である。
【００４１】
上記各実施形態において、表現１０３はその一例を示しているに過ぎず、例えば催しの会名や、人名を添えるようにすることもできる。この場合、その表現（手書きでもよい）を、表現がまだ施されていない無垢の垂幕に、催しの主催者等が独自に記載する。要するに、垂幕１０は、独自の表現を施した別の垂幕に交換することも可能である。
【００４２】
垂幕の交換のためには、主催者等が、図５の状態にある吊紐６の結び目６ａを解き、図６に示すように、締結されている吊紐６の他端部を離脱させ、続いて吊紐６を紙管１００から抜く。そして独自の表現を施した別の垂幕の紙管に吊紐６を通して、その他端部を吊紐６の結び目６ａに締結することで行う。
【００４３】
上記各実施形態において、回転防止壁１２，１２は、各分割容器２，３に一対で設けられた場合を説明した。しかしながら、軸線１０５回りの垂幕１０の回転を防止できるのであれば、回転防止壁は一対でなく、各分割容器２，３に一枚（一個）であってもよい。
【００４４】
区画壁９の設置位置である外殻体４の下端部からの高さ位置は、充分な数のテープ類１１をテープ類収容室４１に収容可能としたうえで、しかも外殻体４の内径を最大限に利用できる左右方向長さを有した垂幕１０が垂幕収容室４０に収容できることが好ましい。
【００４５】
上記各実施形態において、外殻体４は球体の場合を説明した。しかしながら、外殻体４は正多面体となるよう分割容器どうしを組合せて構成してもよい。上記各実施形態において、内容物は垂幕とテープ類で説明した。しかしながら、紙吹雪等の色添えを垂幕収容室４０や、テープ類収容室４１に投入しておいてもよい。
【００４６】
上記各実施形態において、外殻体４を開姿勢Ｂとするには、接合手段である凸側接合部２０ａと凹側接合部２０ｂとの接合が解除されると、結び目６ａ，６ｂが各分割容器２，３の内面に係止して、分割容器２，３どうしが連結部５の回動中心部５ａを中心にして重力によって開く場合を説明した。しかしながら、外殻体４の開姿勢Ｂへの開始手段として火薬体を用い、これを外殻体４に内装して、その爆発力を用いてもよい。
【符号の説明】
【００４７】
１…くす玉、２，３…分割容器、４…外殻体、５…連結部、６…吊紐、６ａ，６ｂ…結び目、７…止部、９…区画壁、１０…垂幕、１１…テープ類、１２…回転防止壁、４０…垂幕収容室、４１…テープ類収容室、６０…吊紐、８０…引紐、９０…分割壁、１０１…幕部、１０３…表現、１０５…軸線、Ａ…閉姿勢、Ｂ…開姿勢
【図１】
0005710511.tif 000002
【図２】
0005710511.tif 000003
【図３】
0005710511.tif 000004
【図４】
0005710511.tif 000005
【図５】
0005710511.tif 000006
【図６】
0005710511.tif 000007
【図７】
0005710511.tif 000008
【図８】
0005710511.tif 000009
【図９】
0005710511.tif 000010
【図１０】
0005710511.tif 000011
【図１１】
0005710511.tif 000012
【図１２】
0005710511.tif 000013